(57)【要約】【課題】玄関子機と親機の通話開始時、若しくは終話時に玄関子機からクリック音が出力しないようにする。【解決手段】本発明のインターホン装置における親機２は、伝送路Ｌの直流電圧を待受時と通話時で切り替え、玄関子機１は伝送路Ｌの直流電圧を検出して待受時の直流電圧を検出したとき子機電源安定化回路１１と子機通話回路１４をＯＦＦとし、通話時の直流電圧を検出したとき子機電源安定化回路１１と子機通話回路１４をＯＮとするように構成されている。  親機２は、待受時から通話時または通話時から待受時に切り替える前にミュート信号を出力するミュート信号出力回路２６を備え、玄関子機１は、親機２からのミュート信号により待受時から通話時または通話時から待受時に切り替わるときに玄関子機２の子機通話回路１４をミュートして玄関子機１からクリック音を出力するのを防止するためのミュート信号検出回路１３を備える。【選択図】図１
2005159893.tif 000002
【特許請求の範囲】
【請求項１】
住宅の居室に備えられる親機（２）と、住宅の玄関に備えられ親機電源回路（２８）から子機電源安定化回路（１１）を介して電源供給され、伝送路（Ｌ）を介して子機通話回路（１４）により前記親機と通話する玄関子機（１）とで構成され、前記親機は前記伝送路の直流電圧を待受時と通話時で切り替え、前記玄関子機は前記伝送路の直流電圧を検出して待受時の直流電圧を検出したとき前記子機電源安定化回路と子機通話回路をＯＦＦとし、通話時の直流電圧を検出したとき前記子機電源安定化回路と前記子機通話回路をＯＮとするインターホン装置であって、
前記親機は、前記待受時から前記通話時または前記通話時から前記待受時に切り替える前にミュート信号を出力するミュート信号出力回路（２６）を備え、
前記玄関子機は、前記親機からの前記ミュート信号により前記待受時から前記通話時または前記通話時から前記待受時に切り替わるときに前記玄関子機の前記子機通話回路をミュートして前記玄関子機からクリック音を出力するのを防止するためのミュート信号検出回路（１３）を備えたことを特徴とするインターホン装置。
【請求項２】
住宅の居室に備えられる親機（２）と、住宅の玄関に備えられ親機電源回路（２８）から子機電源安定化回路（１１）を介して電源供給され、伝送路（Ｌ）を介して子機通話回路（１４）により前記親機と通話する玄関子機（１）とで構成され、前記親機は前記伝送路の直流電圧を待受時と通話時で切り替え、前記玄関子機は前記伝送路の直流電圧を検出して待受時の直流電圧を検出したとき前記子機電源安定化回路と子機通話回路をＯＦＦとし、通話時の直流電圧を検出したとき前記子機電源安定化回路と前記子機通話回路をＯＮとするインターホン装置であって、
前記親機は、前記待受時から前記通話時または前記通話時から前記待受時に切り替える前に前記親機電源回路を前記待受時と前記通話時の中間電圧に制御するＣＰＵ（２９）を備え、
前記玄関子機は、前記中間電圧を検出して前記玄関子機の前記子機通話回路をミュートして前記玄関子機からクリック音を出力するのを防止するための直流電圧検出回路（１７）を備えたことを特徴とするインターホン装置。
【請求項３】
住宅の居室に備えられる親機（２）と、住宅の玄関に備えられ親機電源回路（２８）から子機電源安定化回路（１１）を介して電源供給され、伝送路（Ｌ）を介して子機通話回路（１４）により前記親機と通話する玄関子機（１）とで構成され、前記親機は前記伝送路の直流電圧を待受時と通話時で切り替え、前記玄関子機は前記伝送路の直流電圧を検出して待受時の直流電圧を検出したとき前記子機電源安定化回路と子機通話回路をＯＦＦとし、通話時の直流電圧を検出したとき前記子機電源安定化回路と前記子機通話回路をＯＮとするインターホン装置であって、
前記親機は、前記伝送路から見た交流インピーダンスを高くとりつつ、前記親機電源回路から直流電圧を前記伝送路に出力するための親機インピーダンスアッパー回路（２２）と、前記親機インピーダンスアッパー回路の出力電圧を前記待受時から前記通話時または前記通話時から前記待受時への伝送路の直流レベルの変化を緩やかにするように制御し前記伝送路の直流電圧が変化しても前記玄関子機からクリック音が出力するのを防止する親機インピーダンスアッパー制御回路（２３）とを備えたことを特徴とするインターホン装置。
【請求項４】
住宅の居室に備えられる親機（２）と、住宅の玄関に備えられ親機電源回路（２８）から子機電源安定化回路（１１）を介して電源供給され、伝送路（Ｌ）を介して子機通話回路（１４）により前記親機と通話する玄関子機（１）とで構成され、前記親機は前記伝送路の直流電圧を待受時と通話時で切り替え、前記玄関子機は前記伝送路の直流電圧を検出して待受時の直流電圧を検出したとき前記子機電源安定化回路と子機通話回路をＯＦＦとし、通話時の直流電圧を検出したとき前記子機電源安定化回路と前記子機通話回路をＯＮとするインターホン装置であって、
前記玄関子機は、前記伝送路から見た交流インピーダンスを高くとりつつ、前記親機電源回路からの直流電圧を受電するための子機インピーダンスアッパー回路（１２）と、前記子機インピーダンスアッパー回路の入出間の電圧を検出し前記子機通話回路をミュートして前記玄関子機からクリック音が出力するのを防止するためのミュートタイミング検出回路（１９）とを備えたことを特徴とするインターホン装置。
【発明の詳細な説明】
【技術分野】
【０００１】
本発明は、インターホン装置に係わり、特に玄関子機からクリック音が出力するのを防止することができるインターホン装置に関する。
【背景技術】
【０００２】
従来から、この種のインターホン装置として、住宅の居室内に設置される親機と、親機に伝送路を介して接続され住宅の玄関に設置される玄関子機とを備え、玄関子機の呼出ボタンの操作により親機の呼出検出回路で呼出を検出しリレーでの切り替えにより玄関子機の通話回路（以下「子機通話回路」という。）と親機の通話回路（以下「親機通話回路」という。）間で通話を行なうものが知られている（例えば、特許文献１参照）。
【０００３】
ここで、親機は、待受時および呼出の検出時に呼出検出系電圧を呼出検出回路およびリレーを介して玄関子機へ供給する呼出検出系電源供給回路と、通話時に呼出検出系電圧とは異なる通話系電圧を通話回路およびリレーを介して玄関子機へ供給する通話系電源供給回路とを備え、玄関子機は、親機から供給される電圧を検出する電圧検出回路と、電圧検出回路で通話系電源供給回路からの通話系電圧が検出されたとき通話回路に電源を供給する電源供給回路とを備えている。
【０００４】
このようなインターホン装置によれば、玄関子機の通話回路に親機と玄関子機の通話時においてのみ電源を供給することを可能とし、電源の消費を必要最小限とすることができ、省エネルギーを図ることができる。
【０００５】
ところで、このような構成のインターホン装置においては、次に述べるように、玄関子機と親機の通話開始時若しくは終話時に、伝送路の直流電圧の変化に起因して玄関子機からクリック音が出力するという難点があった。すなわち、通話開始時においては、図７に示すように、伝送路の直流電圧が待受時の約８Ｖの状態から通話時の約１５Ｖまで急激に上昇し、この途中にある閾値（１０Ｖ程度）で玄関子機が待受状態から子機通話回路を開いた通話状態に遷移するが、通話時の約１５Ｖに遷移した後もなお伝送路の直流電圧が上昇し（Ａ部参照）、その変位分が音声出力となって玄関子機のスピーカから不快なブツ音（以下「クリック音」という。）が出力するという難点がある。また、終話時においては、伝送路の直流電圧が通話時の約１５Ｖの状態から待受時の約８Ｖまで下降し、その途中のある閾値（１０Ｖ程度）で玄関子機が通話状態から待受状態に遷移するが、閾値を超えてもすぐには待受状態に遷移せずに、しばらく子機通話回路が動作し、このときの伝送路の直流電圧の変位分（Ｂ部参照）が音声出力となって玄関子機のスピーカからクリック音が出力するという難点がある。
【０００６】
このように、従来のインターホン装置においては、玄関子機と親機の通話開始時若しくは終話時に、伝送路の直流電圧の変化に起因して玄関子機からクリック音が出力し、ひいては高品質のインターホン装置を提供することができないという難点があった。
【０００７】
【特許文献１】特開２００１−２１１２６２号公報  （段落番号「００１１」、「００１２」、図１）
【発明の開示】
【発明が解決しようとする課題】
【０００８】
本発明は、上述の難点を解消するためになされたもので、玄関子機と親機の通話開始時若しくは終話時に、伝送路の直流電圧が変化しても玄関子機からクリック音が出力するのを防止して、高品質のインターホン装置を提供することを目的としている。
【課題を解決するための手段】
【０００９】
本発明の第１の態様であるインターホン装置は、住宅の居室に備えられる親機と、住宅の玄関に備えられ親機電源回路から子機電源安定化回路を介して電源供給され、伝送路を介して子機通話回路により親機と通話する玄関子機とで構成され、親機は伝送路の直流電圧を待受時と通話時で切り替え、玄関子機は伝送路の直流電圧を検出して待受時の直流電圧を検出したとき子機電源安定化回路と子機通話回路をＯＦＦとし、通話時の直流電圧を検出したとき子機電源安定化回路と子機通話回路をＯＮとするインターホン装置であって、親機は、待受時から通話時または通話時から待受時に切り替える前にミュート信号を出力するミュート信号出力回路を備え、玄関子機は、親機からのミュート信号により待受時から通話時または通話時から待受時に切り替わるときに玄関子機の子機通話回路をミュートして玄関子機からクリック音を出力するのを防止するためのミュート信号検出回路を備えたものである。
【００１０】
また、本発明の第２の態様であるインターホン装置は、住宅の居室に備えられる親機と、住宅の玄関に備えられ親機電源回路から子機電源安定化回路を介して電源供給され、伝送路を介して子機通話回路により親機と通話する玄関子機とで構成され、親機は伝送路の直流電圧を待受時と通話時で切り替え、玄関子機は伝送路の直流電圧を検出して待受時の直流電圧を検出したとき子機電源安定化回路と子機通話回路をＯＦＦとし、通話時の直流電圧を検出したとき子機電源安定化回路と子機通話回路をＯＮとするインターホン装置であって、親機は、待受時から通話時または通話時から待受時に切り替える前に親機電源回路を待受時と通話時の中間電圧に制御するＣＰＵを備え、玄関子機は、中間電圧を検出して玄関子機の子機通話回路をミュートして玄関子機からクリック音を出力するのを防止するための直流電圧検出回路を備えたものである。
【００１１】
また、本発明の第３の態様であるインターホン装置は、住宅の居室に備えられる親機と、住宅の玄関に備えられ親機電源回路から子機電源安定化回路を介して電源供給され、伝送路を介して子機通話回路により親機と通話する玄関子機とで構成され、親機は伝送路の直流電圧を待受時と通話時で切り替え、玄関子機は伝送路の直流電圧を検出して待受時の直流電圧を検出したとき子機電源安定化回路と子機通話回路をＯＦＦとし、通話時の直流電圧を検出したとき子機電源安定化回路と子機通話回路をＯＮとするインターホン装置であって、親機は、伝送路から見た交流インピーダンスを高くとりつつ、親機電源回路から直流電圧を伝送路に出力するための親機インピーダンスアッパー回路と、親機インピーダンスアッパー回路の出力電圧を待受時から通話時または通話時から待受時への伝送路の直流レベルの変化を緩やかにするように制御し伝送路の直流電圧が変化しても玄関子機からクリック音が出力するのを防止する親機インピーダンスアッパー制御回路とを備えたものである。
【００１２】
また、本発明の第４の態様であるインターホン装置は、住宅の居室に備えられる親機と、住宅の玄関に備えられ親機電源回路から子機電源安定化回路を介して電源供給され、伝送路を介して子機通話回路により親機と通話する玄関子機とで構成され、親機は伝送路の直流電圧を待受時と通話時で切り替え、玄関子機は伝送路の直流電圧を検出して待受時の直流電圧を検出したとき子機電源安定化回路と子機通話回路をＯＦＦとし、通話時の直流電圧を検出したとき子機電源安定化回路と子機通話回路をＯＮとするインターホン装置であって、玄関子機は、伝送路から見た交流インピーダンスを高くとりつつ、親機電源回路からの直流電圧を受電するための子機インピーダンスアッパー回路と、子機インピーダンスアッパー回路の入出間の電圧を検出し子機通話回路をミュートして玄関子機からクリック音が出力するのを防止するためのミュートタイミング検出回路とを備えたものである。
【発明の効果】
【００１３】
本発明の第１の態様乃至第４の態様のインターホン装置によれば、玄関子機と親機の通話開始時若しくは終話時に、ミュート信号を用いて玄関子機の子機通話回路をミュートすることで、伝送路の直流電圧が変化しても玄関子機からクリック音が出力するのを防止することができ、ひいては、高品質のインターホン装置を提供することができる。
【発明を実施するための最良の形態】
【００１４】
以下、本発明のインターホン装置を適用した好ましい実施の形態例について、図面を参照して詳述する。ここで、図１は、本発明のインターホン装置の一実施例を示すブロック図、図２は、同実施例における伝送路の直流電圧レベルの変化の一例を示す説明図である。
【００１５】
図１において、本発明のインターホン装置は、住宅の玄関に設けられる玄関子機１と、住宅の居室に設けられる親機２とを備えており、この親機２は伝送路Ｌを介して玄関子機１に接続されている。
【００１６】
玄関子機１は、子機電源安定化回路１１、子機インピーダンスアッパー回路１２、ミュート信号検出回路１３、子機通話回路１４、スピーカ１５、マイク１６、直流電圧検出回路１７および呼出ボタン１８の各部（回路）を備えている。ここで、子機電源安定化回路１１は、子機インピーダンスアッパー回路１２および直流電圧検出回路１７に接続され、直流電圧検出回路１７には子機インピーダンスアッパー回路１２および子機通話回路１４が接続されている。また、子機インピーダンスアッパー回路１２、ミュート信号検出回路１３、子機通話回路１４および呼出ボタン１８は伝送路Ｌに接続され、子機通話回路１４にはミュート信号検出回路１３、スピーカ１５およびマイク１６が接続されている。
【００１７】
親機２は、リレー２１、親機インピーダンスアッパー回路２２、親機インピーダンスアッパー制御回路２３、親機通話回路２４、ハンドセット２５、ミュート信号出力回路２６、呼出検出回路２７、親機電源回路２８およびＣＰＵ２９の各部（回路）を備えている。ここで、リレー２１は、コモン接点ｃ、ブレーク接点ｂおよびメーク接点ｍを備えており、コモン接点ｃには伝送路Ｌ、ミュート信号出力回路２６および呼出検出回路２７が接続され、ブレーク接点ｂには高抵抗Ｒ０を介して親機電源回路２８が接続され、メーク接点ｍには親機インピーダンスアッパー回路２２、親機インピーダンスアッパー制御回路２３および親機通話回路２４がそれぞれ接続されている。また、ＣＰＵ２９は、リレー２１、親機インピーダンスアッパー制御回路２３、ミュート信号出力回路２６、呼出検出回路２７および親機電源回路２８に接続され、親機インピーダンスアッパー回路２２には親機インピーダンスアッパー制御回路２３および親機電源回路２８が、親機通話回路２４にはハンドセット２５がそれぞれ接続されている。
【００１８】
次に、このように構成された本発明のインターホン装置の動作について説明する。なお、来訪者が玄関子機１の呼出ボタン１８の押下により親機２を呼出して親機スピーカ（不図示）より呼出音を放音し、居住者が来訪者と通話するためにハンドセット２５を取り上げると、子機通話回路１４と親機通話回路２４との間に通話路を形成し、この通話路を介して音声信号を送受信することができる点、および居住者が来訪者との通話を終了させるためにハンドセット２５を親機２に戻すと、親機２が待受状態に移行する点は従来のインターホン装置と同様に動作することから詳細な説明を省略し、ここでは、玄関子機１と親機２の通話開始時若しくは終話時に、玄関子機１の子機通話回路１４をミュートさせる動作を中心にして説明する。
［実施例１］
先ず、待受時においては、リレー２１の接点はブレーク接点ｂ側に切り替えられている。これにより、親機電源回路２８から２．２ｋΩ程度の高抵抗Ｒ０、リレー２１および伝送路Ｌを介して図２に示すような８Ｖ程度の待受電圧が玄関子機１に供給される。このような待受時における伝送路Ｌの直流電圧が直流電圧検出回路１７で検出されると、子機電源安定化回路１１と子機通話回路１４がＯＦＦに設定される。
【００１９】
このような状態において、来訪者が玄関子機１の呼出ボタン１８を押下すると、呼出信号が伝送路Ｌを介して呼出検出回路２７へ伝送され、かかる呼出信号がＣＰＵ２９で検出されると、ＣＰＵ２９の制御により、ミュート信号出力回路２６からミュート信号（以下「第１のミュート信号」という）が出力され、この第１のミュート信号が伝送路Ｌを介して玄関子機１へ伝送される。そして、かかる第１のミュート信号がミュート信号検出回路１３で検出されると、図２に示すように、子機通話回路１４が一定時間（例えば１００ミリ秒程度）ミュートされる。
【００２０】
ここで、子機通話回路１４がミュートされている間に、リレー２１がメーク接点ｍ側に切り替えられる。これにより、親機電源回路２８から親機インピーダンスアッパー回路２２、リレー２１および伝送路Ｌを介して図２に示すような１５Ｖ程度の通話電圧が玄関子機１へ供給される。そして、伝送路Ｌの直流電圧が待受電圧（８Ｖ程度）から通話電圧（１５Ｖ程度）まで上昇し、安定した状態の通話電圧（１５Ｖ程度の直流電圧）になった後子機通話回路１４のミュートが解除され、親機２と子機１間で通話することが可能になる。
【００２１】
次に、終話時において、居住者がハンドセット２５を親機２に戻し、フックオン信号がＣＰＵ２９で検出されると、ＣＰＵ２９の制御により、ミュート信号出力回路２６からミュート信号（以下「第２のミュート信号」という）が出力され、この第２のミュート信号が伝送路Ｌを介して玄関子機１へ伝送される。かかる第２のミュート信号がミュート信号検出回路１３で検出されると、前述と同様に、子機通話回路１４が一定時間（例えば１００ミリ秒程度）ミュート状態になる。
【００２２】
ここで、子機通話回路１４がミュートされている間に、ＣＰＵ２９の制御により、リレー２１がブレーク接点ｂ側に切り替えられる。これにより、親機電源回路２８から高抵抗Ｒ０、リレー２１および伝送路Ｌを介して待受電圧（８Ｖ程度）が玄関子機１に供給される。そして、伝送路Ｌの直流電圧が通話電圧（１５Ｖ程度）から待受電圧（８Ｖ程度）まで下降し、安定した状態の待受電圧（８Ｖ程度の直流電圧）になるまで子機通話回路１４がミュートされ、一定時間経過後に玄関子機１が待受状態に戻る。
【００２３】
以上のように、実施例１においては、待受時から通話時または通話時から待受時に切り替わるときに、親機２からミュート信号が出力され、かかるミュート信号をミュート信号検出回路１３で検出することで、子機通話回路１４を一定時間ミュートすることができることから、玄関子機１からクリック音が出力するのを防止することができる。
［実施例２］
図３は、伝送路Ｌの直流電圧レベルを待受状態、ミュート状態および通話状態の３つの状態に切り替える場合の実施例を示している。なお、同図において、図２と共通する部分には同一の符号を付して詳細な説明を省略する。
【００２４】
この実施例においては、図１に示す親機２のＣＰＵ２９の制御により、親機電源回路２８から伝送路Ｌに供給される直流電圧が、それぞれ「８Ｖ程度」、「１２Ｖ程度」および「１５Ｖ程度」の３つの状態に切り替えられる。
【００２５】
この実施例においては、伝送路Ｌの待受時における直流電圧は実施例１と同様に、約８Ｖとされている。そして、親機２のＣＰＵ２９により親機電源回路２８が制御され、伝送路Ｌの直流電圧が待受状態の８Ｖ程度から通話状態の１５Ｖ程度まで上昇するが、待受状態から通話状態へ遷移させる途中で、伝送路Ｌの直流電圧を一定時間（５０ミリ秒程度）中間電圧（約１２Ｖ）に設定する。
【００２６】
このような約１２Ｖの中間電圧（直流電圧）が直流電圧検出回路１７で検出されると、玄関子機１の子機通話回路１４が一定時間（１００ミリ秒程度）ミュートされ、ミュートされている間に伝送路Ｌの直流電圧を約１５Ｖまで上昇させる。そして、実施例１と同様に、安定した状態の通話電圧（１５Ｖ程度の直流電圧）になった後、一定時間経過後に子機通話回路１４のミュートが解除され、親機２と子機間１で通話することが可能になる。
【００２７】
終話時についても、前述と同様に、親機２は伝送路Ｌの直流電圧を約１５Ｖから約１２Ｖへ降下させ、かかる中間電圧としての１２Ｖの直流電圧が直流電圧検出回路１７で検出されると、子機通話回路１４が一定時間（１００ミリ秒程度）ミュートされ、ミュートされている間に伝送路Ｌの直流電圧を約８Ｖまで下降させる。そして、安定した状態の待受電圧（８Ｖ程度の直流電圧）になるまで子機通話回路１４がミュートされ、一定時間経過後に玄関子機１が待受状態に戻る。
【００２８】
以上のように、実施例２においては、待受時から通話時または通話時から待受時に切り替える前に、中間電圧（例えば１２Ｖ程度）を検出することで、玄関子機１の子機通話回路１４をミュート状態にすることができることから、玄関子機１からクリック音が出力するのを防止することができる。
［実施例３］
この実施例においては、図１に示すように、親機インピーダンスアッパー制御回路２３の制御により、親機インピーダンスアッパー回路２２の伝送路Ｌから見た交流インピーダンスが例えば７００Ω程度に高く設定されている。ここで、従来におけるインピーダンスアッパー回路は常時アクティブとされ、同インピーダンスアッパー回路から通話時の電圧が出力されるが、この実施例においては、親機インピーダンスアッパー制御回路２３の制御により、親機インピーダンスアッパー回路２２から出力する電圧を緩やかに上昇させ若しくは緩やかに降下させることができる。具体的には、図４に示すように、待受時から通話時に遷移するときの伝送路Ｌの直流電圧を約８Ｖから約１５Ｖまで緩やかに上昇させることができ、また、通話時から待受時に遷移するときの伝送路Ｌの直流電圧を約１５Ｖから約８Ｖまで緩やかに降下させることができる。
【００２９】
従って、この実施例においては、親機インピーダンスアッパー制御回路２３を備えたことにより、親機インピーダンスアッパー回路２２の出力電圧を待受時から通話時または通話時から待受時への伝送路の直流レベルの変化を緩やかに制御することができ、ひいては、伝送路Lの直流電圧が変化しても玄関子機１からクリック音が出力するのを防止することができる。
［実施例４］
図５は、本発明のインターホン装置の他の実施例を示すブロック図である。なお、同図において、図１と共通する部分には同一の符号が付されている。
【００３０】
この実施例においては、図１に示すミュート信号検出回路１３に替えて、ミュートタイミング検出回路１９が接続されており、親機電源回路２８からの直流電圧が子機インピーダンスアッパー回路１２で受電されるように構成されている。
【００３１】
図６は、図５に示す子機インピーダンスアッパー回路１２およびミュートタイミングタイミング検出回路１９の一例を示す構成図である。
【００３２】
図６において、子機インピーダンスアッパー回路１２は、第１、第２のトランジスタＴＲ１、ＴＲ２と、第１〜第４の抵抗Ｒ１〜Ｒ４と、第１、第２のコンデンサＣ１、Ｃ２とを備えており、また、ミュートタイミング検出回路１９は、第３、第４のトランジスタＴＲ３、ＴＲ４と、第５〜第９の抵抗Ｒ５〜Ｒ９とを備えている。ここで、子機インピーダンスアッパー回路１２の出力側（直流電圧検出回路１７側）は、第１、第２、第４、第５の抵抗Ｒ１、Ｒ２、Ｒ４、Ｒ５の各一方側および第１、第２のコンデンサＣ１、Ｃ２の各一方側に接続され、第１の抵抗Ｒ１の他方側には第１のトランジスタＴＲ１のエミッタが、第１のコンデンサＣ１および第２の抵抗Ｒ２の各他方側には第１のトランジスタＴＲ１のベースおよび第２のトランジスタＴＲ２のエミッタが、第４の抵抗Ｒ４および第２のコンデンサＣ２の各他方側には第２のトランジスタＴＲ２のベースおよび第３の抵抗Ｒ３の一方側がそれぞれ接続されている。また、子機インピーダンスアッパー回路１２の入力側（伝送路Ｌ側）は、第１、第２のトランジスタＴＲ１、ＴＲ２の各コレクタ、第３の抵抗Ｒ３の他方側、第３のトランジスタＴＲ３のエミッタにそれぞれ接続され、第３のトランジスタＴＲ３のコレクタには第６、第７の抵抗Ｒ６、Ｒ７を介して第４のトランジスタＴＲ４のベースが接続されている。さらに、アース側に接続された第４のトランジスタＴＲ４のエミッタは、第８の抵抗Ｒ８を介して第４のトランジスタＴＲ４のベースに接続され、第４のトランジスタＴＲ４のコレクタにはミュート出力点Ｍを経由し、第９の抵抗Ｒ９を介して電源電圧Ｖｃｃに接続されている。
【００３３】
この実施例においては、子機インピーダンスアッパー回路１２の伝送路１から見た交流インピーダンスが例えば７００Ω程度に高くとられ、また、通話時における子機インピーダンスアッパー回路１２の入出力間電位差が約２Ｖに設定され、さらに、ミュート出力点Ｍにおけるミュート出力が低レベルでミュートが解除され、高レベルでミュート状態を呈するように設定されている。このため、通話時においては、子機インピーダンスアッパー回路１２における入出力間電位差（約２Ｖ）により、第３のトランジスタＴＲ３がＯＮし、ひいては第４のトランジスタＴＲ４がＯＮすることになるから、ミュート出力点Ｍにおけるミュート出力が低レベルとなり、ミュートが解除される。
【００３４】
これに対して、待受時から通話時、あるいは通話時から待受時への遷移に伴い、伝送路の直流電位が変動し、子機インピーダンスアッパー回路１２の入出力間電位差が急激に減少して子機インピーダンスアッパー回路１２の入出力間電位差が零となれば、第３のトランジスタＴＲ３がＯＦＦし、ひいては第４のトランジスタＴＲ４がＯＦＦすることになるから、ミュート出力点Ｍにおけるミュート出力が高レベルとなり、ミュート状態を呈する。
【００３５】
以上のように、実施例４においては、玄関子機１は、伝送路１から見た交流インピーダンスを高くとりつつ、子機インピーダンスアッパー回路１２の入出間の電圧をミュートタイミング検出回路１９で正確に検出し、適切なタイミングで子機通話回路１４をミュートすることができることから、玄関子機１からクリック音が出力するのを防止することができる。
【産業上の利用可能性】
【００３６】
なお、前述の実施例においては、伝送路Ｌの直流電圧を直流電圧検出回路１７で検出しているが、本発明はこれに限定されず、子機電源安定化回路１１、子機インピーダンスアッパー回路１２および直流電圧検出回路１７間に、別体の電圧検出回路を接続し、この電圧検出回路で伝送路Ｌの直流電圧を検出するようにしてもよい。
【図面の簡単な説明】
【００３７】
【図１】本発明のインターホン装置の一実施例を示すブロック図。
【図２】本発明のインターホン装置における伝送路の直流電圧レベルの変化の一例を示す説明図。
【図３】本発明のインターホン装置における伝送路の直流電圧レベルの変化の一例を示す説明図。
【図４】本発明のインターホン装置における伝送路の直流電圧レベルの変化の一例を示す説明図。
【図５】本発明のインターホン装置の他の実施例を示すブロック図。
【図６】図５に示す子機インピーダンスアッパー回路およびミュートタイミングタイミング検出回路の一例を示す構成図。
【図７】従来のインターホン装置における伝送路の直流電圧レベルの変化の一例を示す説明図。
【符号の説明】
【００３８】
１・・・玄関子機
１１・・・子機電源安定化回路
１２・・・子機インピーダンスアッパー回路
１３・・・ミュート信号検出回路
１４子機通話回路
１７・・・直流電圧検出回路
１９・・・ミュートタイミング検出回路
２・・・親機
２２・・・親機インピーダンスアッパー回路
２３・・・親機インピーダンスアッパー制御回路
２６・・・ミュート信号出力回路
２８・・・親機電源回路
２９・・・ＣＰＵ
Ｌ・・・伝送路
【図１】
2005159893.tif 000003
【図２】
2005159893.tif 000004
【図３】
2005159893.tif 000005
【図４】
2005159893.tif 000006
【図５】
2005159893.tif 000007
【図６】
2005159893.tif 000008
【図７】
2005159893.tif 000009